(57)【要約】  ２位又は５位に又は両方の位置にそれぞれ１つのＣ1〜Ｃ6−アルコキシ残基を有する３位又は４位で置換された２，５−ジヒドロフラン誘導体（ＤＨＦアルコキシ誘導体Ｉ）又は３位又は４位で置換された１，１，４，４−テトラアルコキシ−ブタ−２−エン誘導体の製造方法において、一般式（Ｉ）［式中、残基Ｒ1及びＲ2は相互に独立して水素、Ｃ1〜Ｃ6−アルキル、Ｃ6〜Ｃ12−アリール又はＣ5〜Ｃ12−シクロアルキルを表し、又はＲ1及びＲ2は、これら残基に結合している二重結合でもって一緒に、Ｃ6〜Ｃ12−アリール残基又は１個又は複数個の不飽和結合を有するＣ5〜Ｃ12−シクロアルキル残基を形成する］の２−ブテン−１，４−ジオール誘導体からの、又は２位又は５位にＣ1〜Ｃ6−アルコキシ残基を有する３位又は４位で置換された２，５−ジヒドロフラン誘導体とのこの混合物からの、Ｃ1〜Ｃ6−モノアルキルアルコールの存在下での電気化学的酸化による、２位又は５位に又は両方の位置にそれぞれ１つのＣ1〜Ｃ6−アルコキシ残基を有する３位又は４位で置換された２，５−ジヒドロフラン誘導体（ＤＨＦアルコキシ誘導体Ｉ）又は３位又は４位で置換された１，１，４，４−テトラアルコキシ−ブタ−２−エン誘導体の製造方法。
2008536007.tif 000002
【特許請求の範囲】
【請求項１】
２位又は５位に又は両方の位置にそれぞれ１つのＣ1〜Ｃ6−アルコキシ残基を有する３位又は４位で置換された２，５−ジヒドロフラン誘導体（ＤＨＦアルコキシ誘導体）又は３位又は４位で置換された１，１，４，４−テトラアルコキシ−ブタ−２−エン誘導体の製造方法であって、一般式（Ｉ）
【化１】
2008536007.tif 000014
［式中、残基Ｒ1及びＲ2は相互に独立して水素、Ｃ1〜Ｃ6−アルキル、Ｃ6〜Ｃ12−アリール又はＣ5〜Ｃ12−シクロアルキルを表し、又はＲ1及びＲ2は、これら残基に結合している二重結合でもって一緒に、Ｃ6〜Ｃ12−アリール残基又は１個又は複数個の不飽和結合を有するＣ5〜Ｃ12−シクロアルキル残基を形成する］
の２−ブテン−１，４−ジオール誘導体からの、
又は
２位又は５位にＣ1〜Ｃ6−アルコキシ残基を有する３位又は４位で置換された２，５−ジヒドロフラン誘導体とのこの混合物からの、Ｃ1〜Ｃ6−モノアルキルアルコールの存在下での電気化学的酸化による、２位又は５位に又は両方の位置にそれぞれ１つのＣ1〜Ｃ6−アルコキシ残基を有する３位又は４位で置換された２，５−ジヒドロフラン誘導体（ＤＨＦアルコキシ誘導体）又は３位又は４位で置換された１，１，４，４−テトラアルコキシ−ブタ−２−エン誘導体の製造方法。
【請求項２】
一般式（ＩＩ）
【化２】
2008536007.tif 000015
［式中、Ｒ1及びＲ2は相互に独立して水素、Ｃ1〜Ｃ6−アルキル、Ｃ6〜Ｃ12−アリール又はＣ5〜Ｃ12−シクロアルキルを表す、
又は、
Ｒ1及びＲ2は、これら残基に結合している二重結合でもって一緒に、Ｃ6〜Ｃ12−アリール残基又は１個又は複数個の不飽和結合を有するＣ5〜Ｃ12−シクロアルキル残基を形成する、Ｒ3はＣ1〜Ｃ6−アルキルを表す］
のＤＨＦアルコキシ誘導体を、一般式（Ｉ）の２−ブテン−１，４−ジオール誘導体から、Ｃ1〜Ｃ6−モノアルキルアルコールの存在下で電気化学的酸化により製造する、請求項１記載の方法。
【請求項３】
一般式（ＩＩＩ）
【化３】
2008536007.tif 000016
［式中、残基Ｒ1、Ｒ2及びＲ3は式（ＩＩ）に挙げられた意味合いを有する］
のＤＨＦアルコキシ誘導体を、式（Ｉ）の２−ブテン−１，４−ジオール誘導体から、又は一般式（ＩＩ）のＤＨＦアルコキシ誘導体とのこの混合物から製造する、請求項１記載の方法。
【請求項４】
一般式（ＩＶ）
【化４】
2008536007.tif 000017
［式中、Ｒ1、Ｒ2及びＲ3は式（ＩＩ）で挙げた意味合いを有する］
の２位又は４位で置換された１，１，４，４−テトラアルコキシ−ブタ−２−エン誘導体を、一般式（Ｉ）の２−ブテン−１，４−ジオール誘導体又は一般式（ＩＩＩ）のＤＨＦアルコキシ誘導体とのこの混合物から製造する、請求項１記載の方法。
【請求項５】
脂肪族Ｃ1〜Ｃ6−モノアルキルアルコールがメタノール又はイソプロパノールである、請求項１から４までのいずれか１項記載の方法。
【請求項６】
一般式（Ｉ）のブテン−１，４−ジオール誘導体１モルにつき、モノアルキルアルコール少なくとも１モルを使用することを特徴とする、請求項１から５までのいずれか１項記載の方法。
【請求項７】
支持塩として、ナトリウム−、カリウム−、リチウム−、鉄−、テトラ（Ｃ1〜Ｃ6−アルキル）アンモニウム塩であって、対イオンである硫酸イオン、硫酸水素イオン、アルキル硫酸イオン、アリール硫酸イオン、ハロゲン化物イオン、リン酸イオン、炭酸イオン、アルキルリン酸イオン、アルキル炭酸イオン、硝酸イオン、アルコラートイオン、テトラフルオロホウ酸イオン、ヘキサフルオロリン酸イオン又は過塩素酸イオンと一緒の塩又はイオン液体を含有する電解質中で方法を実施する、請求項１から６までのいずれか１項記載の方法。
【請求項８】
使用される電解質が２０質量％よりも少ない水を含有することを特徴とする、請求項１から７までのいずれか１項記載の方法。
【請求項９】
電解質のｐＨ値を、硫酸、リン酸、スルホン酸、Ｃ1〜Ｃ6−カルボン酸の添加により又は緩衝系の使用により２．５〜５の範囲に維持することを特徴とする、請求項１から８までのいずれか１項記載の方法。
【請求項１０】
双極性に接続されたキャピラリーギャップセル又はプレートスタックセル中で又は分割された電解セル中で実施することを特徴とする、請求項１から８までのいずれか１項記載の方法。
【発明の詳細な説明】
【技術分野】
【０００１】
発明の詳細な説明
本発明は、２位又は５位に又は両方の位置にそれぞれ１つのＣ1〜Ｃ6−アルコキシル残基を有する３位又は４位で置換された２，５−ジヒドロフラン誘導体、又は３位又は４位で置換された１，１，４，４−テトラアルコキシ−ブタ−２−エン誘導体（ＤＨＦアルコキシ誘導体）の新規の製造方法に関する。
【０００２】
ジヒドロフランでは、環中の原子位置の番号付けは、式（Ｖ）
【化１】
2008536007.tif 000003
による通常の命名法規則に従って為される。
【０００３】
縮合したジヒドロフランでは、通常の命名法規則によるフラン環に属する原子の原子位置の番号付けは変わって、例えば式（ＶＩ）
【化２】
2008536007.tif 000004
によるイソベンゾフランを例として示される通りである。
【０００４】
この文章中では、より良好な明快性の理由から、縮合した環系のための、特にイソベンゾフランの上記した規則に対して、フラン環が縮合して存在する化合物でも、非縮合フラン環において通常である原子位置の番号付けを維持する。この文章中では、ベンゾ縮合したジヒドロフラン環系中の原子位置の呼び方は即ち、式（ＶＩＩ）
【化３】
2008536007.tif 000005
により行われる。
【０００５】
２，５−ジヒドロ−２，５−ジメトキシフランの電気化学的合成はフラン類から出発して既に公知である。
【０００６】
DE-A-27 10 420及びDE-A-848 501は、支持塩としての臭化ナトリウム又は臭化アンモニウムの存在下でのフラン類のアノード酸化を記載する。
【０００７】
更に、Bull. Chem.Soc. Jpn. 60, 229-240, 1987からは、フラン類からのシアン化物触媒作用されたアノード酸化が公知である。EP-A-078 004は、フラン類と支持塩としてのアルコラート、ハロゲン化物及びスルホナートとのアノード酸化を開示し、その一方でWO 2004/85710は特殊なホウ素ドープされたダイアモンド電極に対するフラン類の直接的アノード酸化を記載する。
【０００８】
電気化学的酸化による非置換の２，５−ジヒドロフランのアルコキシル化はEP-A-78004から公知である。置換されたフランは、DE 103 24 192中で電気化学的に酸化される。より高い原料コスト並びに、ジヒドロフラン誘導体の沸点により条件付けられたより高められた冷却の手間は、この方法の不満足な経済性を生じる。
【０００９】
従って、経済的であり、かつ所望の生成物を高い収率で、かつ良好な選択率で提供する、アルコキシル化された２，５−ジヒドロフラン又はテトラ−１，１，４，４−テトラアルコキシ−ブタ−２−エン誘導体の電気化学的製造方法を提供することが課題であった。
【００１０】
これに応じて、２位又は５位に又は両方の位置にそれぞれ１つのＣ1〜Ｃ6−アルコキシ残基を有する３位又は４位で置換された２，５−ジヒドロフラン誘導体又は３位又は４位で置換された１，１，４，４−テトラアルコキシ−ブタ−２−エン誘導体（ＤＨＦアルコキシ誘導体）の、一般式（Ｉ）
【化４】
2008536007.tif 000006
［式中、残基Ｒ1及びＲ2は相互に独立して水素、Ｃ1〜Ｃ6−アルキル、Ｃ6〜Ｃ12−アリール、例えばフェニル、又はＣ5〜Ｃ12−シクロアルキルを表し、又はＲ1及びＲ2は、これら残基に結合している二重結合でもって一緒に、Ｃ6〜Ｃ12−アリール残基、例えばフェニル、１個又は複数固のＣ1〜Ｃ6−アルキル、ハロゲン−又はアルコキシ置換されたフェニル、又は１個又は複数個の不飽和結合を有するＣ5〜Ｃ12−シクロアルキル残基を形成する］
の２−ブテン−１，４−ジオール誘導体、
又は
式（Ｉ）の２−ブテン−１，４−ジオール誘導体と、２位又は５位にＣ1〜Ｃ6−アルコキシ残基を有する３位又は４位で置換された式（ＩＩ）の２，５−ジヒドロフラン誘導体との混合物からの、Ｃ1〜Ｃ6−モノアルキルアルコールの存在下での電気化学的酸化による製造方法が見出された。
【００１１】
Ｃ1〜Ｃ6−モノアルキルアルコールとして有利には、メタノール又はイソプロパノールが使用される。
【００１２】
特に有利には、本発明による方法は、次の化合物の製造のために使用される：
Ｃ1〜Ｃ6−モノアルキルアルコールの存在下で電気化学的酸化により、一般式（Ｉ）の２−ブテン−ジオール誘導体から製造される、一般式（ＩＩ）
【化５】
2008536007.tif 000007
［式中、残基Ｒ1、Ｒ2及びＲ3は次の意味合いを有する：
Ｒ1及びＲ2は相互に独立して水素、Ｃ1〜Ｃ6−アルキル、Ｃ6〜Ｃ12−アリール又はＣ5〜Ｃ12−シクロアルキルを表す、
又は、
Ｒ1及びＲ2は、これら残基に結合している二重結合でもって一緒に、Ｃ6〜Ｃ12−アリール残基又は１個又は複数個の不飽和結合を有するＣ5〜Ｃ12−シクロアルキル残基を形成する、Ｒ3はＣ1〜Ｃ6−アルキルを表す］
のＤＨＦアルコキシ誘導体、
２．  式（Ｉ）の２−ブテン−ジオール誘導体又は一般式（ＩＩ）のＤＨＦアルコキシ誘導体とのこの混合物からの、一般式（ＩＩＩ）
【化６】
2008536007.tif 000008
［式中、残基Ｒ1、Ｒ2及びＲ3は一般式（ＩＩ）に挙げた意味合いと同様の意味合いを有する］
のＤＨＦアルコキシ誘導体、
又は
３．  式（Ｉ）の２−ブテン−ジオール誘導体からの、一般式（ＩＶ）
【化７】
2008536007.tif 000009
［式中、残基Ｒ1、Ｒ2及びＲ3は一般式（ＩＩ）に挙げた意味合いと同様の意味合いを有する］
の３位又は４位で置換された１，１，４，４−テトラアルコキシ−ブタ−２−エン誘導体。
【００１３】
特に適するのは、
１ａ．  一般式（Ｉ）（式（Ｉ）中、Ｒ1及びＲ2は水素原子を表す）のブテン−１，４−ジオールからの、一般式（ＩＩＩａ）
【化８】
2008536007.tif 000010
［式中、Ｒ3はＣ1〜Ｃ6−アルキルを表す］
のＤＨＦアルコキシ誘導体の本発明による製造方法である。
【００１４】
技術水準の方法において出発物質として使用されるフランと比較して、２−ブテン−１，４−ジオールはコストがかなり安価である。２−ブテン−１，４−ジオールのより高い沸点のために、更に反応の間の冷却の手間は減少し、そしてより高い反応温度が可能になる。この出発物質の実質的な更なる利点は、その顕著に減少した毒性である。有利には、ｃｉｓ−ブテン−１，４−ジオール又は少なくとも２０質量％ｃｉｓ−ブテン−１，４−ジオールを含有するジアステレオマー混合物が本発明による方法において使用される。
【００１５】
２ａ．特に適するのは、一般式（ＩＩＩｂ）
【化９】
2008536007.tif 000011
［式中、残基Ｒ4、Ｒ5、Ｒ6及びＲ7は水素、Ｃ1〜Ｃ4−アルキル、Ｃ1〜Ｃ6−アルコキシ又はハロゲンを表し、かつＲ3は、一般式（ＩＩ）に挙げた意味合いを有する］
のＤＨＦアルコキシ誘導体の、
一般式（Ｉａ）
【化１０】
2008536007.tif 000012
［式中、残基Ｒ4、Ｒ5、Ｒ6及びＲ7は水素、Ｃ1〜Ｃ4−アルキル、Ｃ1〜Ｃ6−アルコキシ又はハロゲンを表す］の３位又は４位で置換された２−ブテン−１，４−ジオール誘導体からの、
又は
一般式（Ｉａ）の３位又は４位で置換された２−ブテン−１，４−ジオール誘導体及び一般式（ＩＩ）のＤＨＦアルコキシ誘導体からなる混合物からの、
又は
３ａ．  一般式（ＩＶａ）
【化１１】
2008536007.tif 000013
［式中、残基Ｒ4、Ｒ5、Ｒ6及びＲ7は水素、Ｃ1〜Ｃ4−アルキル、Ｃ1〜Ｃ6−アルコキシ又はハロゲンを表し、かつＲ3は、一般式（ＩＩ）に挙げた意味合いを有する］
の１，１，４，４−テトラアルコキシ−ブタ−２−エン誘導体の、
一般式（Ｉａ）のブテン−１，４−ジオール誘導体又は一般式（ＩＩ）のＤＨＦアルコキシ誘導体とのこの混合物からの本発明による製造方法である。
【００１６】
特にとりわけ有利には、一般式（Ｉａ）、（ＩＩＩｂ）及び（ＩＶａ）の化合物中で残基Ｒ4、Ｒ5、Ｒ6及びＲ7は水素を意味する。
一般的に、一般式（ＩＩ）、（ＩＩＩ）及び（ＩＶ）の化合物はその混合物の形で生じる。この混合物は、一般的に公知の分離方法を用いて後処理されることができる。
【００１７】
有利には、所望の目的生成物が、一般式（Ｉ）の２−ブテン−１，４−ジオール誘導体から出発した、一般式（ＩＩＩ）又は（ＩＶ）の化合物である場合でもある。この際生じる反応混合物からは、一般式（ＩＩ）の所望されていない化合物は、電解セル中に返送され、次いで、相応する、一般式（Ｉ）の２−ブテン−１，４−ジオール誘導体と一緒に、所望のより多い数のアルコキシ残基を有する目的生成物の製造のための出発生成物として使用される。
【００１８】
電解質においては、Ｃ1〜Ｃ6−モノアルコールが、一般式（Ｉ）の２−ブテン−１，４−ジオール誘導体に対して、等モル量又は、１：２０までの過剰量で使用され、次いで同時に、一般式（ＩＩ）の化合物及び形成された一般式（Ｉ）の化合物のための溶液又は希釈剤として使用される。有利にはＣ1〜Ｃ6−モノアルキルアルコールであり、特にとりわけ有利にはメタノールが使用される。
【００１９】
場合により、電解溶液に通常の共溶媒を添加する。この際これは、有機化学において一般的に慣用の、高い酸化ポテンシャルを有する不活性溶媒である。例示的に、ジメチルホルムアミド、ジメチルカーボナート、プロピレンカーボナートが挙げられる。
【００２０】
電解溶液中に含有されている支持塩としては、一般的に、カリウム−、ナトリウム−、リチウム−、鉄−、アルカリ金属、アルカリ土類金属、テトラ（Ｃ1〜Ｃ6−アルキル）アンモニウム−、有利にはトリ（Ｃ1〜Ｃ6−アルキル）メチルアンモニウム塩の群から選択される少なくとも１つの化合物が考慮される。対イオンとして、硫酸イオン、硫酸水素イオン、アルキル硫酸イオン、アリール硫酸イオン、ハロゲン化物イオン、リン酸イオン、炭酸イオン、アルキルリン酸イオン、アルキル炭酸イオン、硝酸イオン、アルコラートイオン、テトラフルオロホウ酸イオン又は過塩素酸イオンが考慮される。
【００２１】
更に、前述したアニオンから誘導される酸が支持塩として考慮される。
【００２２】
有利には、メチルトリブチルアンモニウムメチルスルファート（ＭＴＢＳ）、メチルトリエチルアンモニウムメチルスルファート又はメチル−トリ−プロピルメチルアンモニウムメチルスルファートである。
【００２３】
この他に、支持塩としてイオン液体も適する。適したイオン液体は、"Ionic Liquids in Synthesis", 編者Peter Wasserscheid, Tom Welton, Verlag Wiley VCH, 2003, 3.6章,103〜126頁中に記載されている。
【００２４】
電解質のｐＨ値は、有機及び無機酸、例えばクエン酸、酒石酸、硫酸、リン酸、スルホン酸、Ｃ1〜Ｃ6−カルボン酸、例えばギ酸、酢酸、プロピオン酸の添加により、又は自体公知の緩衝系の使用によりｐＨ２〜７、有利には２．５〜５の範囲に調節される。
【００２５】
本発明による方法は全ての慣用の電解セル種類中で実施されることができる。有利には、連続的に、分割されていないフローセル（Durchflusszelle）を用いて実施される。
【００２６】
特にとりわけ適するのは、双極性に接続されたキャピラリーギャップセル（Kapillarspaltzelle）又はプレートスタックセル（Plattenstapelzelle）であり、この際電極はプレートとして構成されていて、かつ面平行に配置されている（参照、Ullmann’s Encyclopedia of Industrial Chemistry, 1999 electronic release, 第6版, VCH-Verlag Weinheim, Volume Electrochemistry, Chapter 3.5. special cell designs並びにChapter 5, Organic Electrochemistry, Subchapter 5.4.3.2 Cell Design）。このような電解セルは例えば、DE-A-19533773にも記載されている。
【００２７】
本方法を実施する際の電流密度は、一般的に１〜２０ｍＡ／ｃｍ2、有利には３〜５ｍＡ／ｃｍ2である。この温度は通常は−２０〜５５℃、有利には２０〜４０℃である。一般的に常圧で実施される。出発化合物の又は共溶媒の沸騰を回避するために、より高い圧力は、より高い温度で実施されることが望ましい場合に有利に適用される。
【００２８】
アノード材料として、例えば貴金属、例えば白金又は金属酸化物、例えばルテニウム−又はクロム酸化物、又はＲｕＯxＴｉＯxのタイプの混合酸化物が適する。有利には、グラファイト又は炭素電極である。更に、ダイアモンド表面を有するアノードが有利である。
【００２９】
カソードでは有機化合物に対する様々な種類の電気化学的還元が実施されることができる。このような還元は、特にDE-A-10058304中に記載されている。一般的にしかしながら、カソードでは、プロトン又はアルコールの電気化学的還元により水素が発生する。
【００３０】
カソード材料としては、例えば鉄、鋼、特殊鋼、ニッケル又は貴金属、例えば白金並びにグラファイト又は炭素材料が考慮され、その際グラファイトが有利である。更に、ダイアモンド表面を有するカソードが有利である。
【００３１】
特に有利には、アノード及びカソードとしてグラファイト、並びにアノードとしてグラファイト、そしてカソードとしてニッケル、特殊鋼又は鋼の系である。更に、ダイアモンド表面を有するアノードが有利である。
【００３２】
反応の終了後に、電解溶液を一般的な分離方法により後処理する。このために、電解溶液を一般的にまずｐＨ値を８〜９にし、引き続き蒸留し、そしてこの個々の化合物を、様々な分画の形で分離して得る。更なる精製は例えば、結晶化、蒸留、又はクロマトグラフィにより行われることができる。２，５−ジメトキシ−テトラヒドロフランが２，５−ジヒドロ−２，５−ジメトキシフランから製造されることが望ましい場合には後処理は必要でなく、これは本発明による方法により得たれた原料を使用することができる。
【００３３】
実験部分
例１  −２，５−ジメトキシ−２，５−ジヒドロフラン
装置：６個のグラファイト電極を有する分割されていないプレートスタックセル
（６５ｍｍΦ、間隔：１ｍｍ）
アノード及びカソード：  グラファイト
電解質：２−ブテン−１，４−ジオール  ７２．６ｇ
メチルトリブチルアンモニウムメチルスルファート（ＭＴＢＳ）  ２５．７ｇ
９６％  Ｈ3ＰＯ4、１．４ｇ
メタノール  ６６０ｇ
カソード：グラファイト
４．８Ｆ／mol  ２−ブテン−１，４−ジオールでの電解
電流密度：３．４Ａ  ｄｍ-2
温度      ：２２℃
挙げた条件下での電解の際に、電解質を流速度２００ｌ／ｈでもって１９時間、熱交換器を介してこのセルを通じてポンプ輸送した。
【００３４】
電解の終了後、電解放出物（Elektrolyseaustrag）を、ナトリウムメチラート（メタノール中で３０％）１．８９の添加によりｐＨ８〜９に調整し、蒸留によりメタノールを除去し、この残留物を７０℃かつ１mbarで蒸留した。この際、２，５−ジメトキシ−２，５−ジヒドロフランを収率４６％に相当して４７．９ｇ得た。選択率は５１％であった。
【００３５】
例２  −１，３−ジメトキシ−１，３−ジヒドロ−イソベンゾフラン
装置：６個のグラファイト電極を有する分割されていないプレートスタックセル
（６５ｍｍΦ、間隔：１ｍｍ）
アノード：グラファイト
電解質：１，２−ベンゾールジメタノール  ３５．０ｇ
ＭＴＢＳ（メタノール中で６０％）  ２．３ｇ
９６％  Ｈ2ＳＯ4、２．２ｇ
メタノール  ６６０．５ｇ
カソード：グラファイト上の特殊鋼シート
９．５Ｆ／mol  １，２−ベンゾールジメタノールでの電解
電流密度：３．４Ａ  ｄｍ-2
温度：    ２０℃
挙げた条件下での電解の際に、電解質を流速度２００ｌ／ｈでもって１２時間、熱交換器を介してこのセルを通じてポンプ輸送した。
【００３６】
電解の終了後、電解放出物を、ナトリウムメタノラート溶液（メタノール中で３０％）４．３ｇの添加によりｐＨ８〜９に調整し、蒸留によりＭｅＯＨを除去し、メチル−ｔｅｒｔ−ブチルエーテル１５０ｍｌと混合し、この生じた支持塩を圧力濾過ヌッチェを介して吸引分離し、この濾過物を７０℃かつ１mbarで蒸留した。この際、１−メトキシ−１，３−ジヒドロイソベンゾフラン３．４ｇ（収率９％に相当）、１，３−ジメトキシ−１，３−ジヒドロイソベンゾフラン１４．４ｇ（収率３１．７％に相当）、及びｏ−フタルジアルデヒドテトラメチルアセタール４．１ｇ（収率２０．４％に相当）を得た。この１−メトキシ−１，３−ジヒドロイソベンゾフランは新たに電解のために使用される。
【図面の簡単な説明】
【００３７】
【図１】図１は、一般式（Ｉ）の２−ブテン−１，４−ジオール誘導体を示す図である。
2008536007.tif 000018
【国際調査報告】
2008536007.tif 000019
2008536007.tif 000020
2008536007.tif 000021
2008536007.tif 000022